(57)【要約】【課題】  コネクタの外周面に外力がかかり難く、また、一対のシェルの係止力が大きく、更に、シールドが確実で耐ノイズ性が向上するコネクタを提供する。【解決手段】  コネクタ１のインシュレータ２は、略４角筒状の第１シェル３の本体部によって被覆される。インシュレータの後側には、ケーブル１１が固定され、各コンタクトはケーブルの各電線に接続される。第１シェルの電線かしめ部３ｄは、ケーブルをかしめ止めする。第２シェル４を第１シェルに矢印方向に組み込むと、第２シェルの各ダボ４ａ１ｂは第１シェルの各位置決め部３ｃ２に当接する。この状態で、第２シェルの各係合片４ａ１ａを折り曲げて第１シェルの各被係合穴３ｃ１に挿入する。すると、第２シェルは第１シェルに固定され、第２シェルの略半円筒面形状部４ｂ２は電線かしめ部を被覆する。【選択図】  図１
2006032211.tif 000002
【特許請求の範囲】
【請求項１】
コネクタは、コンタクトと、前記コンタクトを保持するインシュレータと、前記コンタクト及び前記インシュレータを被覆し、かつ、保持する第１シェル及び第２シェルとを有し、
前記第１シェルは、略４角筒状に形成され、前記コンタクト及び前記インシュレータを被覆し、かつ、保持する本体部と、ケーブルのシールドと接続する圧着部とを有し、
前記第２シェルは、断面略コ字状に形成されている本体部と、前記圧着部を被覆するカバー部とを有し、
前記第１シェルの本体部は被係合部を有し、前記第２シェルの本体部は係合部を有し、
前記第２シェルが前記第１シェルに組み込まれた後、前記係合部が組み込み方向と交差する第１方向に折曲されて前記被係合部と係合することにより、前記第１シェルと前記第２シェルとが組み立てられることを特徴とするコネクタのシールド構造。
【請求項２】
前記第１シェルの本体部は、前記被係合部を一対有し、前記第２シェルの本体部は、前記係合部を一対有し、前記各係合部は、片持ち梁状で自由端が互いに対向するように形成され、前記第２シェルは、前記第１方向と交差し、かつ、前記組み込み方向と直交する第２方向へ移動することを規制されることを特徴とする請求項１記載のコネクタのシールド構造。
【発明の詳細な説明】
【技術分野】
【０００１】
本発明は、シェルの被覆により耐ノイズ性を向上することができるコネクタのシールド構造に関する。
【背景技術】
【０００２】
第１の従来のコネクタのシールド構造について説明する（例えば、特許文献１参照。）。
【０００３】
ハウジング２１は、絶縁性の樹脂により、一面３１及び他面３２を有した略直方体状で箱形に形成され、電気信号を伝達する複数のコンタクト（図示せず）が箱形内部に並設されるとともに、一方側へ開口した開口端部３３を設ける。
【０００４】
第１金属シェル２２は、ステンレスの金属により、一端部及び他端部を有した長尺薄板状に形成され、互いに対向した第１係止片４１が幅両側をそれぞれ折曲形成されて、各第１係止片４１に略四角状の係止孔４１ａが設けられて第１係止部を形成する。さらに、略円弧状に形成されたかしめ部４２が一端部から延設されて、凹凸部を円弧端部に設けるとともに、１対のロックアーム４３が各第１係止片４１から長手方向へ沿って延設されて、電気機器に設けられたレセプタクル（図示せず）とロックされる。そして、ハウジング２１の一面３１側へ装着されて、その一面３１側のハウジング２１を外囲する。
【０００５】
第２金属シェル２３は、一端部５１及び他端部５２を有した長尺薄板状に形成され、互いに対向した第２係止片５３が幅両側をそれぞれ折曲形成されて、各第２係止片５３に弾性変位する係止爪５３ａが設けられて第２係止部を形成する。そして、係止爪５３ａが第１金属シェル２２に設けられた係止孔４１ａに互いに係止して、ハウジング２１の他面３２側へ装着されて、その他面３２側のハウジング２１を外囲する。
【０００６】
ここで、舌片５４が切り欠き溝を設けた一端部５１から延設されて、２段に折曲形成された長尺板状に形成され、係止爪５３ａを係止孔４１ａに係止すると、基端部５４ａがかしめ部４２の対応位置に位置する。また舌片５４がニッケルメッキされて、さらに半田メッキがそのニッケルメッキの表面に形成される。
【０００７】
ケーブル２４は、外周部６１を有した断面略円形状に形成され、複数の信号線（図示せず）、その複数の信号線を外囲したシールド線６２、及び信号線とシールド線６２とを外囲して外周部を形成する絶縁被覆部を設け、シールド線６２が端部で折り返されて絶縁被覆部を外囲する。
【０００８】
このコネクタの取り扱い操作を説明する。先ず、コンタクトをケーブル２４の信号線に接続し、第１金属シェル２２及び第２金属シェル２３をハウジング２１の一面３１側及び他面３２側へそれぞれ配置し、第１金属シェル２２の係止孔４１ａ及び第２金属シェル２３の係止爪５３ａを互いに係止して、第１金属シェル２２及び第２金属シェル２３がハウジング２１の両面３１，３２側へそれぞれ装着される。このとき、第２金属シェル２３の舌片５４が２段に折曲形成されているので、ケーブル２４を外囲したシールド線６２に弾接する。
【０００９】
次いで、図７に示すように、第１金属シェル２２のかしめ部４２はシールド線６２に弾接した舌片５４の外形に沿うよう塑性変形して、ケーブル２４と共に舌片５４をかしめる。このとき、シールド線６２はかしめ部４２及び舌片５４に接触して、かしめ部４２を介して第１金属シェル２２に、及び舌片５４を介して第２金属シェル２３にそれぞれ接続する。
【００１０】
次いで、電気機器に取り付けられたレセプタルに挿入されて、コンタクトがレセプタルに設けられたポストに、第１金属シェル２２及び第２金属シェル２３の他端部がレセプタルに設けられたアース片にそれぞれ接触して、電気信号を伝達する。このとき、第１金属シェル２２及び第２金属シェル２３がケーブル２４のシールド６２に接続されている。
【００１１】
第２の従来のコネクタのシールド構造について説明する（例えば、特許文献２参照。）。
【００１２】
要点は、第１金属シェルに設けられた二対の舌片を、それぞれ第２金属シェルに設けられた一対の凹部と１個の凹部に係止することにより、両シェルを固定する構造である。
【００１３】
【特許文献１】特開２０００−１２１６２号公報（第３頁第３欄第３８行〜第４頁第５欄第３３行、図１，２）
【特許文献２】特開平５−９４８４９号公報（第３頁第３欄第１行〜第４欄第３１行、図１）
【発明の開示】
【発明が解決しようとする課題】
【００１４】
前記第１の従来のコネクタのシールド構造では、第２金属シェル２３の後端に設けられた舌片５４とケーブル２４とがかしめ部４２でかしめられるから、シールド構造が不十分であるので、耐ノイズ性が低下する。
【００１５】
前記第２の従来のコネクタのシールド構造では、第１金属シェルの各舌片が第２金属シェルの各凹部からコネクタの外周面に突出しているため、外力が加わり易く、また、各舌片の板厚方向で係止するため、大きい係止力を得られない。
【００１６】
そこで、本発明は、前記両従来のコネクタのシールド構造を改良し、コネクタの外周面に外力がかかり難く、また、一対のシェルの係止力が大きく、更に、シールドが確実で耐ノイズ性が向上するコネクタを提供しようとするものである。
【課題を解決するための手段】
【００１７】
本発明は、前記課題を解決するため、次の手段を採用する。
【００１８】
１．コネクタは、コンタクトと、前記コンタクトを保持するインシュレータと、前記コンタクト及び前記インシュレータを被覆し、かつ、保持する第１シェル及び第２シェルとを有し、前記第１シェルは、略４角筒状に形成され、前記コンタクト及び前記インシュレータを被覆し、かつ、保持する本体部と、ケーブルのシールドと接続する圧着部とを有し、前記第２シェルは、断面略コ字状に形成されている本体部と、前記圧着部を被覆するカバー部とを有し、前記第１シェルの本体部は被係合部（被係合穴３ｃ１）を有し、前記第２シェルの本体部は係合部（係合片４ａ１ａ）を有し、前記第２シェルが前記第１シェルに組み込まれた後、前記係合部が組み込み方向と交差する第１方向に折曲されて前記被係合部と係合することにより、前記第１シェルと前記第２シェルとが組み立てられるコネクタのシールド構造。
【００１９】
２．前記第１シェルの本体部は、前記被係合部を一対有し、前記第２シェルの本体部は、前記係合部を一対有し、前記各係合部は、片持ち梁状で自由端が互いに対向するように形成され、前記第２シェルは、前記第１方向と交差し、かつ、前記組み込み方向と直交する第２方向へ移動することを規制される前記１記載のコネクタのシールド構造。
【発明の効果】
【００２０】
明細書の説明から明らかなように、本発明は、次の効果を奏する。
【００２１】
１．第１シェルは、略４角筒状に形成され、コンタクト及びインシュレータを被覆し、かつ、保持する本体部と、ケーブルのシールドと接続する圧着部とを有し、第２シェルは、断面略コ字状に形成されている本体部と、圧着部を被覆するカバー部とを有し、第２シェルが第１シェルに組み込まれた後、第２シェルの係合部が組み込み方向と交差する第１方向に折曲されて第１シェルの被係合部と係合するので、コネクタのシールドが確実で耐ノイズ性が向上する。
【００２２】
２．第１シェルの本体部は、一対の被係合部を有し、第２シェルの本体部は、一対の係合部を有し、各係合部は、片持ち梁状で自由端が互いに対向するように形成されているので、コネクタの外周面に外力がかかり難く、また、両シェルの係止力が大きい。
【発明を実施するための最良の形態】
【００２３】
本発明の一実施例のコネクタのシールド構造について説明する。
【実施例１】
【００２４】
本発明の実施例１について図１〜図５を参照して説明する。
【００２５】
図１に示されるように、コネクタ１のインシュレータ２に形成された複数の溝２ａには、それぞれコンタクト（図示せず）が保持されている。インシュレータ２は、略４角筒状の第１シェル３の本体部によって被覆されている。インシュレータ２の後側には、ケーブル１１が固定され、各コンタクトはケーブル１１の各電線に接続されている。第１シェル３の後側に一体形成された電線かしめ部３ｄは、ケーブル１１をかしめ止めする。
【００２６】
第１シェル３は、金属材料製であり、第１シェル３の上面３ａの後半部は、各コンタクトと各電線とを接続するために除去されて開放部３ａ１となる。上面３ａの最後端の両側には、インシュレータ２を固定するための折曲部３ａ２が形成されている。第１シェル３の上面３ａと下面３ｂの各前半部には、相手側コネクタ（図示せず）のシェルに圧接するための一対のダボ３ａ３，３ｂ１がそれぞれ形成されている。第１シェル３の両側面３ｃの後半部の下側には、一対の長方形状の被係合穴３ｃ１が開けられ、後半部の上側には、後述する第２シェル４のための位置決め部３ｃ２が設けられている。両側面３ｃの中央付近には、第１シェル３がインシュレータ２から抜け止めることを防止するために、長方形状の抜止穴３ｃ３が開けられている。なお、下面３ｂには、一対の脚部３ｂ２が設けられ、コネクタ１を他の部材に固定するための便宜に供される。
【００２７】
第１シェル３の上面３ａと下面３ｂと両側面３ｃとから第１シェル３の本体部が構成される。
【００２８】
第２シェル４は、金属材料製で、断面コ字形状の本体部４ａと、本体部４ａに連結するカバー部４ｂとから一体に構成される。カバー部４ｂは、略半円錐面形状部４ｂ１と略半円筒面形状部４ｂ２とから構成される。本体部４ａの両側面４ａ１の下側には、一対の係合片４ａ１ａが形成され、上側には、ダボ４ａ１ｂが形成されている。各係合片４ａ１ａは、片持ち梁状で自由端が互いに対向するように形成される。両側面４ａ１と略半円錐形状部４ｂ１との間には、絞り加工を容易に行うことができるように、スリットＳが形成されている。
【００２９】
第２シェル４を第１シェル３に組み込む方法は、次のとおりである。まず、図１における矢印方向に第２シェル４を第１シェル３に組み込むと、図２に示される状態に至る。この状態では、第２シェル４の各ダボ４ａ１ｂは、第１シェル３の各位置決め部３ｃ２に当接している。
【００３０】
図２の状態、すなわち、図４の状態において、第２シェル４の各係合片４ａ１ａを折り曲げて第１シェル３の各被係合穴３ｃ１に挿入する。すると、図３の状態、すなわち、図５の状態に至る。この状態では、第２シェル４は第１シェル３に固定され、略半円筒面形状部４ｂ２はケーブル１１をかしめ止めするための電線かしめ部３ｄを被覆する。
【図面の簡単な説明】
【００３１】
【図１】本発明の実施例１に係るコネクタの第２シェルが第１シェルに組み込まれる前の状態の斜視図である。
【図２】同コネクタの同第２シェルが同第１シェルに組み込まれた後の状態の斜視図である。
【図３】図２における各係合片が折曲されて各被係合穴に係合した状態の斜視図である。
【図４】図２における同各係合片と同各被係合穴との関係を破断して示す拡大斜視図である。
【図５】図３における同各係合片と同各被係合穴との関係を破断して示す拡大斜視図である。
【図６】第１の従来の技術に係るコネクタの斜視図である。
【図７】同コネクタにケーブルを接続する前の状態の斜視図である。
【符号の説明】
【００３２】
１  コネクタ
２  インシュレータ
２ａ  溝
３  第１シェル
３ａ  上面
３ａ１  開放部
３ａ２  折曲部
３ａ３  ダボ
３ｂ  下面
３ｂ１  ダボ
３ｂ２  脚部
３ｃ  側面
３ｃ１  被係合穴
３ｃ２  位置決め部
３ｃ３  抜止穴
３ｄ  電線かしめ部
４  第２シェル
４ａ  本体部
４ａ１  側面
４ａ１ａ  係合片
４ａ１ｂ  ダボ
４ｂ  カバー部
４ｂ１  略半円錐面形状部
４ｂ２  略半円筒面形状部
１１  ケーブル
Ｓ  スリット
【図１】
2006032211.tif 000003
【図２】
2006032211.tif 000004
【図３】
2006032211.tif 000005
【図４】
2006032211.tif 000006
【図５】
2006032211.tif 000007
【図６】
2006032211.tif 000008
【図７】
2006032211.tif 000009